(57)【要約】      （修正有）【課題】製造コスト削減及び画面品質向上を達成する光源モジュールを提供する。【解決手段】光源モジュールＬＭはフレーム構造１１及びレンズ構造１２を含む。フレーム構造はフレームボディ１１０、第一方向に沿って配置された複数の第一仕切り板１１１及び第二方向に沿って配置された複数の第二仕切り板１１２を有する。複数の第一仕切り板と複数の第二仕切り板が交互に配置されて、複数の収容空間１１３を形成する。フレームボディは複数の第一仕切り板と複数の第二仕切り板を囲み、かつフレームボディと複数の第一仕切り板と複数の第二仕切り板が一体成型されている。レンズ構造はフレーム構造に配置される。レンズ構造は第一方向に沿って配置された複数の第一溝１２１及び第二方向に沿って配置された複数の第二溝１２２を有する。フレーム構造の複数の第一仕切り板がそれぞれ複数の第一溝に収容される。複数の第二仕切り板がそれぞれ複数の第二溝に収容される。【選択図】図３
0003220643.tif 000002
【実用新案登録請求の範囲】
【請求項１】
光源モジュールであって、
前記光源モジュールはフレーム構造とレンズ構造とを含み、
前記フレーム構造はフレームボディ、第一方向に沿って配置された複数の第一仕切り板、及び第二方向に沿って配置された複数の第二仕切り板を有し、前記複数の第一仕切り板と前記複数の第二仕切り板が交互に配置されて複数の収容空間を形成し、前記フレームボディが前記複数の第一仕切り板と前記複数の第二仕切り板を囲み、且つ前記フレームボディと前記複数の第一仕切り板と前記複数の第二仕切り板が一体成型され、
前記レンズ構造は前記フレーム構造に配置され、
前記レンズ構造は複数の前記第一方向に沿って配置された複数の第一溝、及び前記第二方向に沿って配置された複数の第二溝を有し、
前記フレーム構造の前記複数の第一仕切り板がそれぞれ前記複数の第一溝に収容され、前記複数の第二仕切り板がそれぞれ前記複数の第二溝に収容される、光源モジュール。 
【請求項２】
前記第一方向と前記第二方向が互いに垂直である、請求項１に記載の光源モジュール。
【請求項３】
前記レンズ構造が板状体である、請求項１に記載の光源モジュール。
【請求項４】
前記光源モジュールはさらに、基板及び前記基板上に配置された複数の発光素子を含み、且つ前記複数の発光素子がそれぞれ前記フレーム構造の前記複数の収容空間の中に位置する、請求項１に記載の光源モジュール。
【請求項５】
前記光源モジュールはさらに、
前記フレーム構造と前記レンズ構造の一方側に位置する反射シートと、
前記フレーム構造と前記レンズ構造がそれぞれ前記反射シートと前記光学フィルムシートとの間に位置する光学フィルムシートグループと、
外枠とを含み、
前記光学フィルムシートグループが前記外枠と前記フレーム構造との間に位置する、請求項１に記載の光源モジュール。
【請求項６】
前記光源モジュールはさらに、基板及び前記基板上に配置された複数の発光素子を含み、且つ前記複数の発光素子がそれぞれ前記フレーム構造の前記複数の収容空間の中に位置する、請求項５に記載の光源モジュール。
【請求項７】
前記レンズ構造が前記フレーム構造と前記基板との間に位置し、
前記反射シートが前記レンズ構造と前記基板との間に位置し、
前記レンズ構造がさらに第一表面、第二表面及び複数の第三溝を有し、
前記第一表面が前記第二表面に対向し、前記第一表面が前記フレーム構造の方に向いており、前記第二表面が前記基板の方に向いており、前記複数の第一溝の開口と前記複数の第二溝の開口が前記第一表面に位置し、前記複数の第三溝の開口が前記第二表面に位置し、且つ前記複数の発光素子がそれぞれ前記複数の第三溝の中に位置する、請求項６に記載の光源モジュール。
【請求項８】
前記フレーム構造はさらに少なくとも一つの固定アセンブリを有し、
前記レンズ構造はさらに第一穿孔を有し、前記反射シートは第二穿孔を有し、前記基板は第三穿孔を有し、
前記固定アセンブリは、前記複数の第一仕切り板の一つ、前記複数の第二仕切り板の一つ、又は前記複数の第一仕切り板と前記複数の第二仕切り板の複数の交差箇所の一つに配置され、
前記固定アセンブリは、前記第一穿孔、前記第二穿孔及び前記第三穿孔を穿通して、前記フレーム構造、前記レンズ構造、前記反射シート及び前記基板を互いに固定する、請求項７に記載の光源モジュール。
【請求項９】
前記フレーム構造は前記レンズ構造と前記基板との間に位置し、前記反射シートは前記フレーム構造と前記基板との間に位置し、
前記レンズ構造はさらに、第一表面、第二表面及び複数の第三溝を有し、前記第一表面が前記第二表面に対向し、前記第一表面が前記フレーム構造から離れる方向に向いており、前記第二表面が前記フレーム構造に近づく方向に向いており、
前記複数の第一溝の開口、前記複数の第二溝の開口及び前記複数の第三溝の開口は前記第二表面に位置し、且つ前記複数の発光素子はそれぞれ前記複数の第三溝の中に位置する、請求項６に記載の光源モジュール。
【請求項１０】
前記レンズ構造はさらに少なくとも一つの固定アセンブリを有し、前記反射シートは第一穿孔を有し、前記基板は第二穿孔を有し、
前記固定アセンブリは、前記複数の第一溝と前記複数の第二溝との複数の交差箇所に隣設され、
前記固定アセンブリは前記第一穿孔及び前記第二穿孔を穿通して、前記レンズ構造、前記フレーム構造、前記反射シート及び前記基板を互いに固定する、請求項９に記載の光源モジュール。
【請求項１１】
表示デバイスであって、
前記表示デバイスは光源モジュールと、前記光源モジュール上に配置された表示パネルを含み、
前記光源モジュールはフレーム構造とレンズ構造を含み、
前記フレーム構造は、フレームボディ、第一方向に沿って配置された複数の第一仕切り板及び第二方向に沿って配置された複数の第二仕切り板を有し、前記複数の第一仕切り板と前記複数の第二仕切り板が交互に配置されて複数の収容空間を形成し、前記フレームボディが前記複数の第一仕切り板と前記複数の第二仕切り板を囲み、且つ前記フレームボディと前記複数の第一仕切り板と前記複数の第二仕切り板が一体成型され、
前記レンズ構造は前記フレーム構造に配置され、
前記レンズ構造は前記第一方向に沿って配置された複数の第一溝及び前記第二方向に沿って配置された複数の第二溝を有し、
前記フレーム構造の前記複数の第一仕切り板がそれぞれ前記複数の第一溝に収容され、前記複数の第二仕切り板がそれぞれ前記複数の第二溝に収容される、表示デバイス。
【考案の詳細な説明】
【技術分野】
【０００１】
本考案は光源モジュールに関し、特に表示デバイスに用いられる光源モジュールに関する。
【背景技術】
【０００２】
液晶表示デバイスには主にバックライトモジュール、表示パネル、外枠などの構成部が含まれる。光源方向の違いによって、バックライトモジュールをサイドライト型バックライトモジュールと直下型バックライトモジュールに分けることができる。直下型バックライトモジュールを例にすると、直下型バックライトモジュールは裏板、光源アセンブリ、反射シート、拡散シート、光学フィルムシート及び外枠を含み、且つ、光源アセンブリは回路板、回路板上に配置された発光ダイオード及びレンズの組み合わせによって構成され、レンズの機能は発光ダイオードが発した光線を拡散させて、広角度の分布を形成し、バックライトモジュール輝度の全体的な均一化を図ることである。
【０００３】
しかし、従来の直下型バックライトモジュールの構造には依然として多くの問題が存在しており、例を挙げると、従来の直下型バックライトモジュールの光学距離（Ｏｐｔｉｃａｌ  ｄｉｓｔａｎｃｅ、つまり、発光ダイオードの上方から拡散シートの下方までの距離）が比較的に大きいため、バックライトモジュールが比較的に厚くなり、光学距離を短縮してバックライトモジュールの厚さを低減させたい場合、発光ダイオードの使用量を増やさなければならないため、製造コストの増加に繋がる。従来の直下型バックライトモジュールには、光学距離のばらつき問題も存在するため、表示画面にムラが発生するほか、従来の直下型バックライトモジュールにおいてローカルディミング（Ｌｏｃａｌ  ｄｉｍｍｉｎｇ）機能を使用する時に、光源アセンブリが発した光線が周辺領域まで散乱し易く、ローカルディミングの効果が低下することになる。従って、上記問題を如何にして改善するかは、実に当業者の関心を集める点であった。
【０００４】
「背景技術」は本考案の理解を促すためだけにあり、「背景技術」に開示された内容には、当業者が知っている周知技術を構成しないものが含まれていることもある。また、「背景技術」に開示されて内容は、前記内容又は本考案の一つ若しくは複数の実施例が解決しようとする問題を意味するものではなく、また、本考案がその出願前に既に当業者に知られ、又は認知されていたことを意味するものでもない。
【考案の概要】
【考案が解決しようとする課題】
【０００５】
本考案の一つの目的は、光源モジュールを提供し、製造コスト削減及び画面品質向上の効果を達成することにある。
【０００６】
本考案の別の目的は、表示デバイスを提供し、製造コスト削減及び画面品質向上の効果を達成することにある。
【課題を解決するための手段】
【０００７】
本考案のその他の目的と利点について、本考案が開示する技術特徴から一層理解を深めることができる。
【０００８】
上記一部若しくは全ての目的、又はその他の目的を達成するために、本考案は、フレーム構造及びレンズ構造を含む光源モジュールを提供する。フレーム構造はフレームボディ、第一方向に沿って配置された複数の第一仕切り板及び第二方向に沿って配置された複数の第二仕切り板を有する。複数の第一仕切り板と複数の第二仕切り板は交互に配置されて、複数の収容空間を形成する。フレームボディは複数の第一仕切り板と複数の第二仕切り板を囲み、かつ、フレームボディと複数の第一仕切り板と複数の第二仕切り板とが一体成型されている。レンズ構造はフレーム構造に配置され、レンズ構造は第一方向に沿って配置された複数の第一溝及び第二方向に沿って配置された複数の第二溝を有し、フレーム構造の複数の第一仕切り板はそれぞれ複数の第一溝に収容され、複数の第二仕切り板はそれぞれ複数の第二溝に収容される。
【０００９】
上記一部若しくは全ての目的、又はその他の目的を達成するために、本考案は、光源モジュール及び表示パネルを含む表示デバイスを提供する。光源モジュールはフレーム構造及びレンズ構造を含む。フレーム構造はフレームボディ、第一方向に沿って配置された複数の第一仕切り板及び第二方向に沿って配置された複数の第二仕切り板を有する。複数の第一仕切り板と複数の第二仕切り板は交互に配置されて、複数の収容空間を形成する。フレームボディは複数の第一仕切り板と複数の第二仕切り板を囲み、かつフレームボディと複数の第一仕切り板と複数の第二仕切り板が一体成型されている。レンズ構造はフレーム構造に配置され、レンズ構造は第一方向に沿って配置された複数の第一溝及び第二方向に沿って配置された複数の第二溝を有し、フレーム構造の複数の第一仕切り板はそれぞれ複数の第一溝に収容され、複数の第二仕切り板はそれぞれ複数の第二溝に収容される。表示パネルは光源モジュール上に配置される。
【００１０】
本考案の一実施例において、上記第一方向と第二方向が互いに垂直である。
【００１１】
本考案の一実施例において、上記レンズ構造が板状体である。
【００１２】
本考案の一実施例において、上記光源モジュールはさらに基板、及び基板上に配置された複数の発光素子を含み、かつ複数の発光素子がそれぞれフレーム構造の複数の収容空間の中に位置する。
【００１３】
本考案の一実施例において、上記光源モジュールはさらに反射シート、光学フィルムシートグループ及び外枠を含む。反射シートは、フレーム構造とレンズ構造の一方側に位置する。フレーム構造とレンズ構造はそれぞれ反射シートと光学フィルムシートとの間に位置する。光学フィルムシートグループは外枠とフレーム構造との間に位置する。
【００１４】
本考案の一実施例において、上記光源モジュールはさらに基板、及び基板上に配置された複数の発光素子を含み、かつ複数の発光素子はそれぞれフレーム構造の複数の収容空間の中に位置する。
【００１５】
本考案の一実施例において、上記レンズ構造はフレーム構造と基板との間に位置し、反射シートはレンズ構造と基板との間に位置し、レンズ構造はさらに第一表面、第二表面及び複数の第三溝を有し、第一表面が第二表面に対向し、第一表面がフレーム構造の方に向いており、第二表面が基板の方に向いており、複数の第一溝の開口と複数の第二溝の開口が第一表面に位置し、複数の第三溝の開口が第二表面に位置し、かつ複数の発光素子はそれぞれ上記複数の第三溝の中に位置する。
【００１６】
本考案の一実施例において、上記フレーム構造はさらに少なくとも一つの固定アセンブリを有し、レンズ構造はさらに第一穿孔を有し、反射シートは第二穿孔を有し、基板は第三穿孔を有し、固定アセンブリは複数の第一仕切り板の中の一つ、複数の第二仕切り板の中の一つ、又は複数の第一仕切り板と複数の第二仕切り板の複数の交差箇所の中の一に配置され、固定アセンブリは第一穿孔、第二穿孔及び第三穿孔を穿通して、フレーム構造、レンズ構造、反射シート及び基板を互いに固定する。
【００１７】
本考案の一実施例において、上記フレーム構造はレンズ構造と基板との間に位置し、反射シートはフレーム構造と基板との間に位置し、レンズ構造はさらに第一表面、第二表面及び複数の第三溝を有し、第一表面は第二表面に対向し、第一表面はフレーム構造から離れる方向に向いており、第二表面はフレーム構造に近づく方向に向いており、複数の第一溝の開口、複数の第二溝の開口及び複数の第三溝の開口は第二表面に位置し、かつ複数の発光素子はそれぞれ複数の第三溝の中に位置する。
【００１８】
本考案の一実施例において、上記レンズ構造はさらに少なくとも一つの固定アセンブリを含み、反射シートは第一穿孔を有し、基板は第二穿孔を有し、固定アセンブリは複数の第一溝と複数の第二溝との複数の交差箇所に隣設され、固定アセンブリは第一穿孔及び第二穿孔を穿通して、レンズ構造、フレーム構造、反射シート及び基板を互いに固定する。
【００１９】
本考案の実施例の光源モジュールは、フレーム構造の複数の第一仕切り板、複数の第二仕切り板及びレンズ構造の複数の第一溝、複数の第二溝が発光素子の発した光線の大部分を遮断することができ、さらにセル発光領域を形成するため、光源モジュールローカルディミングの効果が得られる。また、本考案の実施例の光源モジュールの構造設計により、発光素子の数を増やさない前提で、光学距離を有効に短縮して、光源モジュールの厚さを低減できるため、光学距離のばらつき問題をさらに改善し、表示デバイスの画面品質を向上させることができる。
【００２０】
本考案の上記とその他の目的、特徴及び利点をより解りやすく、明確に示すべく、以下はその好ましい実施例について、図面を参照しながら、詳しく説明する。
【図面の簡単な説明】
【００２１】
【図１】本考案の一実施例の表示デバイスの素子分解概略図である。
【図２】図１が示す光源モジュールの一部素子の組み立て概略図である。
【図３】図２が示すＡＡ線分に沿った断面概略図である。
【図４】図３が示すＢＢ線分に沿った断面概略図である。
【図５】図４が示す光源モジュールの分解概略図である。
【図６】本考案の別の実施例の光源モジュールの断面概略図である。
【図７】本考案の別の実施例の光源モジュールの断面概略図である。
【図８】本考案の別の実施例の光源モジュールの断面概略図である。
【図９】本考案の別の実施例の光源モジュールの断面概略図である。
【図１０Ａ】本考案の別の実施例の光源モジュールの断面概略図である。
【図１０Ｂ】図１０Ａの別の視角からの立体構造概略図である。
【図１１】本考案の別の実施例の光源モジュールの断面概略図である。
【図１２Ａ】本考案の別の実施例の光源モジュールの断面概略図である。
【図１２Ｂ】図１２Ａが示すレンズ構造の立体構造概略図である。
【考案を実施するための形態】
【００２２】
本考案の上記及びその他の技術内容、特徴及び効果について、以下の図面を参照した好ましい実施例の詳細説明において、明確に示されている。以下の実施例において言及される方向用語、例えば、上、下、左、右、前又は後などは図面を参照するための方向である。従って、複数の方向用語は説明を目的とするものであり、本考案を制限するものではない。
【００２３】
図１は本考案の一実施例の表示デバイス１の素子分解概略図である。図２は図１が示す光源モジュールＬＭの一部素子の組み立て概略図である。図３は図２が示すＡＡ線分に沿った断面概略図である。なお、説明の便宜上、図２と図３には光源モジュールＬＭの一部素子のみが示されている。図１から図３が示すように、本実施例の表示デバイス１は光源モジュールＬＭ及び表示パネルＤＰを含む。光源モジュールＬＭはフレーム構造１１及びレンズ構造１２を含む。フレーム構造１１はフレームボディ１１０、第一方向Ｄ１に沿って配置された複数の第一仕切り板１１１及び第二方向Ｄ２に沿って配置された複数の第二仕切り板１１２を有し、本実施例において、複数の第一仕切り板１１１と複数の第二仕切り板１１２が交互に配列されて複数の収容空間１１３を形成し、フレームボディ１１０が複数の第一仕切り板１１１と複数の第二仕切り板１１２を囲み、且つフレームボディ１１０は複数の第一仕切り板１１１、複数の第二仕切り板１１２と一体成型されており、つまり、フレーム構造１１はフレームボディ１１０、複数の第一仕切り板１１１及び複数の第二仕切り板１１２によって構成された一体成型の構造である。レンズ構造１２はフレーム構造１１に配置され、且つ、レンズ構造１２は第一方向Ｄ１に沿って配置された複数の第一溝１２１及び第二方向Ｄ２に沿って配置された複数の第二溝１２２を有し、本実施例において、フレーム構造１１の複数の第一仕切り板１１１がそれぞれレンズ構造１２の第一溝１２１に収容され、フレーム構造１１の複数の第二仕切り板１１２がそれぞれレンズ構造１２の第二溝１２２に収容される。表示パネルＤＰは光源モジュールＬＭ上に配置され、本実施例において、表示パネルＤＰは光源モジュールＬＭの外枠１７の上方に配置されている。
【００２４】
本実施例において、上記第一方向Ｄ１と第二方向Ｄ２が互いに垂直であって、複数の第一仕切り板１１１と複数の第二仕切り板１１２が交互に配列されて上記複数の収容空間１１３を形成し、第一溝１２１と第二溝１２２がそれぞれ互いに垂直な第一方向Ｄ１と第二方向Ｄ２に沿って設置されることで、複数の第一仕切り板１１１と複数の第二仕切り板１１２がそれぞれ複数の第一溝１２１と複数の第二溝１２２の中に収容されるようになっているが、本考案はこれに限定されず、複数の第一仕切り板１１１と複数の第二仕切り板１１２が交互に配列される前提で、第一方向Ｄ１と第二方向Ｄ２が互いに垂直ではなくてもいい。また、本実施例において、レンズ構造１２の外観構造が例えば板状体であってもよいが、本考案はこれに限定されない。
【００２５】
以下、本実施例の光源モジュールＬＭの詳細構造についてさらに説明する。
【００２６】
図１から図３が示すように、本実施例の光源モジュールＬＭはさらに、基板１３及び基板１３上に配置された複数の発光素子１４を含む。複数の発光素子１４はそれぞれフレーム構造１１の複数の収容空間１１３の中に位置し、本実施例において、フレーム構造１１の各収容空間１１３に一つの発光素子１４が収納されるが、本考案は各収容空間１１３に収容される発光素子１４の数について限定しない。また、本実施例において、複数の発光素子１４が例えば発光ダイオード素子であるが、本考案はこれに限定されない。
【００２７】
図１から図３が示すように、本実施例の光源モジュールＬＭはさらに反射シート１５、光学フィルムシートグループ１６及び外枠１７を含む。反射シート１５はフレーム構造１１とレンズ構造１２の一方側に位置し、本実施例において、反射シート１５はレンズ構造１２と基板１３との間に位置するが、本考案は反射シート１５の位置について限定しない。光学フィルムシートグループ１６はフレーム構造１１とレンズ構造１２の他方側に位置し、本実施例において、フレーム構造１１とレンズ構造１２はそれぞれ反射シート１５と光学フィルムシートグループ１６との間に位置し、詳しく言うと、フレーム構造１１はレンズ構造１２と光学フィルムシートグループ１６との間に位置し、また、本実施例において、光学フィルムシートグループ１６は集光シート、拡散シート、均質シート、複合式光フィルムシートなどの組み合わせてであってもよいが、本考案はこれについて限定しない。外枠１７は光学フィルムシートグループ１６のフレーム構造１１から離れる一方側に位置し、本実施例において、光学フィルムシートグループ１６は外枠１７とフレーム構造１１との間に位置する。
【００２８】
図１から図３が示すように、本実施例のレンズ構造１２はフレーム構造１１と基板１３との間に位置する。レンズ構造１２はさらに第一表面Ｓ１、第二表面Ｓ２及び複数の第三溝１２３を有し、レンズ構造１２の第一表面Ｓ１が第二表面Ｓ２と対向し、且つ第一表面Ｓ１はフレーム構造１１の方に向いており、第二表面Ｓ２は基板１３の方に向いている。本実施例において、レンズ構造１２の複数の第一溝１２１の開口Ｏ１と複数の第二溝１２２の開口Ｏ２は第一表面Ｓ１に位置し、つまり、レンズ構造１２の複数の第一溝１２１の開口Ｏ１と複数の第二溝１２２の開口Ｏ２がそれぞれフレーム構造１１の方向に向いており、このような構造設計により、フレーム構造１１の複数の第一仕切り板１１１と複数の第二仕切り板１１２をそれぞれ複数の第一溝１２１と複数の第二溝１２２の中に収容することができ、レンズ構造１２の複数の第三溝１２３の開口Ｏ３が第二表面Ｓ２に位置し、つまり、レンズ構造１２の複数の第三溝１２３が基板１３の方向に向いており、かつ複数の第三溝１２３がそれぞれフレーム構造１１の収容空間１１３の範囲内に位置し、このような構造設計により、基板１３上に位置する複数の発光素子１４をそれぞれ複数の第三溝１２３の中に収容することができる。
【００２９】
図４は図３が示すＢＢ線分に沿った断面概略図である。図５は図４が示す光源モジュールＬＭの分解概略図である。なお、図４と図５の視角は図３の視角を上下１８０度回転させたものである。図３から図５が示すように、本実施例のフレーム構造１１はさらに複数の固定アセンブリ１１４を有し、レンズ構造１２はさらに第一穿孔Ｔ１を有し、反射シート１５は第二穿孔Ｔ２を有し、基板１３は第三穿孔Ｔ３を有する。複数の固定アセンブリ１１４はそれぞれ複数の第一仕切り板１１１と複数の第二仕切り板１１２の複数の交差箇所Ｐに配置されるが、本考案は固定アセンブリ１１４の数について限定しない。別の実施例において、固定アセンブリ１１４の数として少なくとも一つを配置することにしてもよく、また、本考案は固定アセンブリ１１４をフレーム構造１１上に配置する位置について限定することなく、別の実施例において、固定アセンブリ１１４をフレーム構造１１の第一仕切り板１１１上に配置しても、又はフレーム構造１１の第二仕切り板１１２上に配置してもよい。本実施例において、固定アセンブリ１１４は螺合素子１１４１と螺合部１１４２を含むが、本考案はこれに限定されない。固定アセンブリ１１４の螺合素子１１４１は、基板１３の一方側からフレーム構造１１に近づく方向に向かって、基板１３の第三穿孔Ｔ３、反射シート１５の第二穿孔Ｔ２及びレンズ構造１２の第一穿孔Ｔ１を順に穿通して、螺合部１１４２と螺合、固定されることで、フレーム構造１１、レンズ構造１２、反射シート１５及び基板１３が互いに固定される。
【００３０】
図６は本考案の別の実施例の光源モジュールの断面概略図である。図６が示すように、本実施例の光源モジュールＬＭａは図１から図５が示す光源モジュールＬＭに類似しているが、相違点は、本実施例の光源モジュールＬＭａの固定アセンブリ１１４ａが、フレーム構造１１から突出した柱体部１１４３及び柱体部１１４３の一端に接続された当接部１１４４を有する。本実施例において、固定アセンブリ１１４ａの柱体部１１４３は、レンズ構造１２の第一穿孔Ｔ１、反射シート１５の第二穿孔Ｔ２及び基板１３の第三穿孔Ｔ３を順に穿通し、かつ当接部１１４４が基板１３と当接することで、フレーム構造１１、レンズ構造１２、反射シート１５及び基板１３が互いに固定される。詳しく言うと、固定アセンブリ１１４ａの当接部１１４４は例えば熱溶解コロイドであり、固定アセンブリ１１４ａの柱体部１１４３がレンズ構造１２の第一穿孔Ｔ１、反射シート１５の第二穿孔Ｔ２及び基板１３の第三穿孔Ｔ３を順に穿通した後、固定アセンブリ１１４ａの当接部１１４４が基板１３の外に露出され、続いて、当接部１１４４を高温で溶解させることで当接部１１４４を変形させ、変形した当接部１１４４を基板１３に当接させる。
【００３１】
図７は本考案の別の実施例の光源モジュールの断面概略図である。図７が示すように、本実施例の光源モジュールＬＭｂは図６が示す光源モジュールＬＭａに類似しているが、相違点は、本実施例の光源モジュールＬＭｂの固定アセンブリ１１４ｂが、フレーム構造１１から突出した柱体部１１４３及びコロイド部１１４５を含む。本実施例において、固定アセンブリ１１４ｂの柱体部１１４３がレンズ構造１２の第一穿孔Ｔ１、反射シート１５の第二穿孔Ｔ２、及び基板１３の第三穿孔Ｔ３を順に穿通した後、固定アセンブリ１１４ｂの一部の柱体部１１４３が基板１３の外に露出され、続いて、基板１３の外に露出されている柱体部１１４３及び基板１３上にコロイド１４５を塗布することで、フレーム構造１１、レンズ構造１２、反射シート１５及び基板１３を互いに固定する。
【００３２】
図８は本考案の別の実施例の光源モジュールの断面概略図である。図８が示すように、本実施例の光源モジュールＬＭｃは図６が示す光源モジュールＬＭａに類似しているが、相違点は、本実施例の光源モジュールＬＭｃの固定アセンブリ１１４ｃが、フレーム構造１１から突出した柱体部１１４３、柱体部１１４３の一端に接続された当接部１１４４及びリング１１４６を含み、かつ本実施例のレンズ構造１２ｃがさらに係合部１２４を有する。本実施例において、固定アセンブリ１１４ｃの柱体部１１４３はレンズ構造１２ｃの第一穿孔Ｔ１、反射シート１５の第二穿孔Ｔ２及び基板１３の第三穿孔Ｔ３を順に穿通した後、固定アセンブリ１１４ｃの当接部１１４４が基板１３の外に露出され、かつフレーム構造１１はレンズ構造１２の係合部１２４と係合し、続いて、リング１１４６を当接部１１４４と基板１３との間に嵌めることで、フレーム構造１１、レンズ構造１２ｃ、反射シート１５及び基板１３を互いに固定する。本実施例において、固定アセンブリ１１４ｃのリング１１４６は例えばＥ型リングであるが、本考案はこれに限定されない。別の実施例において、リング１１４６は例えば弾性材質で構成され、リング１１４６を当接部１１４４と基板１３との間に嵌めた時に、弾性回復力によって、フレーム構造１１、レンズ構造１２ｃ、反射シート１５及び基板１３を互いに固定する。
【００３３】
図９は本考案の別の実施例の光源モジュールの断面概略図である。図９が示すように、本実施例の光源モジュールＬＭｄは図６が示す光源モジュールＬＭａに類似するが、相違点は、本実施例の光源モジュールＬＭｄの固定アセンブリ１１４ｄが、フレーム構造１１から突出した柱体部１１４３及び柱体部１１４３の一端に接続された弾性フック部１１４７を含む。本実施例において、固定アセンブリ１１４ｄの柱体部１１４３はレンズ構造１２の第一穿孔Ｔ１、反射シート１５の第二穿孔Ｔ２及び基板１３の第三穿孔Ｔ３を順に穿通した後、固定アセンブリ１１４ｄの弾性フック部１１４７が基板１３の外に露出され、かつ弾性フック部１１４７が弾性回復力によって広がり、広がった弾性フック部１１４７が基板１３と係合することで、フレーム構造１１、レンズ構造１２、反射シート１５及び基板１３が互いに固定される。
【００３４】
図１０Ａは本考案の別の実施例の光源モジュールの断面概略図である。図１０Ｂは図１０Ａの別の視角からの立体構造概略図である。図１０Ａと図１０Ｂが示すように、本実施例の光源モジュールＬＭｅは図６が示す光源モジュールＬＭａに類似するが、相違点は、本実施例の光源モジュールＬＭｅの固定アセンブリ１１４ｅが、フレーム構造１１から突出した柱体部１１４３及び柱体部１１４３の一端に接続されたフック部１１４８を含み、かつ、本実施例の基板１３の第三穿孔Ｔ３、反射シート１５の第二穿孔Ｔ２及びレンズ構造１２の第一穿孔Ｔ１がそれぞれ同じ大きさのＬ形穿孔であり、複数のＬ形穿孔が重なり合って係合槽１１４９を形成する。本実施例において、係合槽１１４９は互いに垂直な第一延伸槽Ｇ１と第二延伸槽Ｇ２を有し、固定アセンブリ１１４ｅの柱体部１１４３が係合槽１１４９を穿通した後、フック部１１４８が係合槽１１４９の第一延伸槽Ｇ１から露出され、続いて、フック部１１４８が第二延伸槽Ｇ２の中まで移動して、フック部１１４８が基板１３と係合することで、フレーム構造１１、レンズ構造１２、反射シート１５及び基板１３を互いに固定する。
【００３５】
図１１は本考案の別の実施例の光源モジュールの断面概略図である。図１１が示すように、本実施例の光源モジュールＬＭｆは図１から図５が示す光源モジュールＬＭに類似しているが、相違点は、本実施例の光源モジュールＬＭｆのフレーム構造１１ｆがレンズ構造１２ｆと基板１３との間に位置し、かつ反射シート１５がフレーム構造１１ｆと基板１３との間に位置する。本実施例において、レンズ構造１２ｆの複数の第一溝１２１の開口Ｏ１と複数の第二溝１２２の開口Ｏ２が第二表面Ｓ２に位置し、つまり、レンズ構造１２ｆの複数の第一溝１２１の開口Ｏ１と複数の第二溝１２２の開口Ｏ２がそれぞれ基板１３の方向に向いており、このような構造設計により、レンズ構造１２ｆの複数の第一溝１２１と複数の第二溝１２２が上から下へフレーム構造１１ｆを覆い、複数の第一仕切り板１１１と複数の第二仕切り板１１２がそれぞれ複数の第一溝１２１と複数の第二溝１２２の中に収容される。本実施例において、レンズ構造１２ｆの複数の第三溝１２３の開口Ｏ３も同様に、第二表面Ｓ２に位置し、つまり、レンズ構造１２ｆの複数の第三溝１２３も同様に、基板１３の方向に向いており、かつ、複数の第三溝１２３がそれぞれフレーム構造１１ｇの収容空間１１３の範囲内に位置する。このような構造設計によって、基板１３上に位置する複数の発光素子１４がそれぞれ複数の第三溝１２３の中に収容される。
【００３６】
図１２Ａは本考案の別の実施例の光源モジュールの断面概略図である。図１２Ｂは図１２Ａが示すレンズ構造１２ｇの立体構造概略図である。図１２Ａと図１２Ｂが示すように、本実施例の光源モジュールＬＭｇは図１１が示す的光源モジュールＬＭｆに類似するが、相違点は、本実施例の光源モジュールＬＭｇのレンズ構造１２ｇが少なくとも一つの固定アセンブリ１２５を有する。固定アセンブリ１２５は、複数の第一溝１２１と複数の第二溝１２２の複数の交差箇所Ｐ’の中の一つに隣設され、本実施例において、固定アセンブリ１２５は反射シート１５の第二穿孔Ｔ２及び基板１３の第三穿孔Ｔ３を穿通して、フレーム構造１１、レンズ構造１２ｇ、反射シート１５及び基板１３を互いに固定する。なお、本実施例の固定アセンブリ１２５は図６が示す固定アセンブリ１１４ａと類似しており、つまり、熱溶解コロイドの方式で、フレーム構造１１、レンズ構造１２、反射シート１５及び基板１３を互いに固定するが、本考案はこれに限定されない。
【００３７】
以上をまとめると、本考案の実施例の光源モジュールは、フレーム構造の複数の第一仕切り板、複数の第二仕切り板及びレンズ構造の複数の第一溝、複数の第二溝が、発光素子の発する光線の大部分を遮断し、さらにセル発光領域を形成するため、光源モジュールローカルディミングの効果を高めることができる。また、本考案の実施例の光源モジュール構造設計により、発光素子の数を増やさない前提で、光学距離を有効に短縮させ、光源モジュールの厚さを低減させることができるため、光学距離のばらつき問題をさらに改善し、表示デバイスの画面品質を向上させることができる。
【００３８】
以上に記載したのは本考案の好ましい実施例であり、本考案の実施範囲がこれに限定されるべきではない。即ち、本考案の請求の範囲および考案の詳細な説明を基に行った簡単な等価変更および修正も本考案の請求範囲内に属する。また、本考案の実施例または請求項のいずれかが必ずしも本考案の開示した目的または利点または特徴を全て満たすとは限らない。その他、要約書と考案の名称は特許文献の検索のために用いられるものであり、本考案の権利範囲を制限するものではない。また、明細書または請求の範囲に言及された「第一」、「第二」などの用語は、素子（ｅｌｅｍｅｎｔ）を命名するめの名称または異なる実施例若しくは範囲を区別するめのものであり、素子の数量の上限または下限を制限するものではない。
【符号の説明】
【００３９】
１：表示デバイス
ＬＭ、ＬＭａ、ＬＭｂ、ＬＭｃ、ＬＭｄ、ＬＭｅ、ＬＭｆ、ＬＭｇ：光源モジュール
ＤＰ：表示パネル
１１、１１ｆ：フレーム構造
１２、１２ｃ、１２ｆ、１２ｇ：レンズ構造
１３：基板
１４：発光素子
１５：反射シート
１６：光学フィルムシート
１７：外枠
１１０：フレームボディ
１１１：第一仕切り板
１１２：第二仕切り板
１１３：収容空間
１１４、１１４ａ、１１４ｂ、１１４ｃ、１１４ｄ、１１４ｅ、１２５：固定アセンブリ
１２１：第一溝
１２２：第二溝
１２３：第三溝
１２４：係合部
１１４１：螺合素子
１１４２：螺合部
１１４３：柱体部
１１４４：当接部
１１４５：コロイド部
１１４６：リング
１１４７：弾性フック部
１１４８：フック部
１１４９：係合槽
ＡＡ、ＢＢ：線分
Ｄ１：第一方向
Ｄ２：第二方向
Ｇ１：第一延伸槽
Ｇ２：第二延伸槽
Ｏ１、Ｏ２、Ｏ３：開口
Ｐ、Ｐ’：交差箇所
Ｓ１：第一表面
Ｓ２：第二表面
Ｔ１：第一穿孔
Ｔ２：第二穿孔
Ｔ３：第三穿孔
【図１】
0003220643.tif 000003
【図２】
0003220643.tif 000004
【図３】
0003220643.tif 000005
【図４】
0003220643.tif 000006
【図５】
0003220643.tif 000007
【図６】
0003220643.tif 000008
【図７】
0003220643.tif 000009
【図８】
0003220643.tif 000010
【図９】
0003220643.tif 000011
【図１０Ａ】
0003220643.tif 000012
【図１０Ｂ】
0003220643.tif 000013
【図１１】
0003220643.tif 000014
【図１２Ａ】
0003220643.tif 000015
【図１２Ｂ】
0003220643.tif 000016
【手続補正書】
【提出日】平成31年1月23日(2019.1.23)
【手続補正１】
【補正対象書類名】実用新案登録請求の範囲
【補正対象項目名】全文
【補正方法】変更
【補正の内容】
【実用新案登録請求の範囲】
【請求項１】
光源モジュールであって、
前記光源モジュールはフレーム構造とレンズ構造とを含み、
前記フレーム構造はフレームボディ、第一方向に沿って配置された複数の第一仕切り板、及び第二方向に沿って配置された複数の第二仕切り板を有し、前記複数の第一仕切り板と前記複数の第二仕切り板が交互に配置されて複数の収容空間を形成し、前記フレームボディが前記複数の第一仕切り板と前記複数の第二仕切り板を囲み、且つ前記フレームボディと前記複数の第一仕切り板と前記複数の第二仕切り板が一体成型され、
前記レンズ構造は前記フレーム構造に配置され、
前記レンズ構造は複数の前記第一方向に沿って配置された複数の第一溝、及び前記第二方向に沿って配置された複数の第二溝を有し、
前記フレーム構造の前記複数の第一仕切り板がそれぞれ前記複数の第一溝に収容され、前記複数の第二仕切り板がそれぞれ前記複数の第二溝に収容される、光源モジュール。
【請求項２】
前記第一方向と前記第二方向が互いに垂直である、請求項１に記載の光源モジュール。
【請求項３】
前記レンズ構造が板状体である、請求項１に記載の光源モジュール。
【請求項４】
前記光源モジュールはさらに、基板及び前記基板上に配置された複数の発光素子を含み、且つ前記複数の発光素子がそれぞれ前記フレーム構造の前記複数の収容空間の中に位置する、請求項１に記載の光源モジュール。
【請求項５】
前記光源モジュールはさらに、
前記フレーム構造と前記レンズ構造の一方側に位置する反射シートと、
光学フィルムシートグループと、
外枠とを含み、
前記フレーム構造と前記レンズ構造がそれぞれ前記反射シートと前記光学フィルムシートグループとの間に位置し、
前記光学フィルムシートグループが前記外枠と前記フレーム構造との間に位置する、請求項１に記載の光源モジュール。
【請求項６】
前記光源モジュールはさらに、基板及び前記基板上に配置された複数の発光素子を含み、且つ前記複数の発光素子がそれぞれ前記フレーム構造の前記複数の収容空間の中に位置する、請求項５に記載の光源モジュール。
【請求項７】
前記レンズ構造が前記フレーム構造と前記基板との間に位置し、
前記反射シートが前記レンズ構造と前記基板との間に位置し、
前記レンズ構造がさらに第一表面、第二表面及び複数の第三溝を有し、
前記第一表面が前記第二表面に対向し、前記第一表面が前記フレーム構造の方に向いており、前記第二表面が前記基板の方に向いており、前記複数の第一溝の開口と前記複数の第二溝の開口が前記第一表面に位置し、前記複数の第三溝の開口が前記第二表面に位置し、且つ前記複数の発光素子がそれぞれ前記複数の第三溝の中に位置する、請求項６に記載の光源モジュール。
【請求項８】
前記フレーム構造はさらに少なくとも一つの固定アセンブリを有し、
前記レンズ構造はさらに第一穿孔を有し、前記反射シートは第二穿孔を有し、前記基板は第三穿孔を有し、
前記固定アセンブリは、前記複数の第一仕切り板の一つ、前記複数の第二仕切り板の一つ、又は前記複数の第一仕切り板と前記複数の第二仕切り板の複数の交差箇所の一つに配置され、
前記固定アセンブリは、前記第一穿孔、前記第二穿孔及び前記第三穿孔を穿通して、前記フレーム構造、前記レンズ構造、前記反射シート及び前記基板を互いに固定する、請求項７に記載の光源モジュール。
【請求項９】
前記フレーム構造は前記レンズ構造と前記基板との間に位置し、前記反射シートは前記フレーム構造と前記基板との間に位置し、
前記レンズ構造はさらに、第一表面、第二表面及び複数の第三溝を有し、前記第一表面が前記第二表面に対向し、前記第一表面が前記フレーム構造から離れる方向に向いており、前記第二表面が前記フレーム構造に近づく方向に向いており、
前記複数の第一溝の開口、前記複数の第二溝の開口及び前記複数の第三溝の開口は前記第二表面に位置し、且つ前記複数の発光素子はそれぞれ前記複数の第三溝の中に位置する、請求項６に記載の光源モジュール。
【請求項１０】
前記レンズ構造はさらに少なくとも一つの固定アセンブリを有し、前記反射シートは第一穿孔を有し、前記基板は第二穿孔を有し、
前記固定アセンブリは、前記複数の第一溝と前記複数の第二溝との複数の交差箇所に隣設され、
前記固定アセンブリは前記第一穿孔及び前記第二穿孔を穿通して、前記レンズ構造、前記フレーム構造、前記反射シート及び前記基板を互いに固定する、請求項９に記載の光源モジュール。
【請求項１１】
表示デバイスであって、
前記表示デバイスは光源モジュールと、前記光源モジュール上に配置された表示パネルを含み、
前記光源モジュールはフレーム構造とレンズ構造を含み、
前記フレーム構造は、フレームボディ、第一方向に沿って配置された複数の第一仕切り板及び第二方向に沿って配置された複数の第二仕切り板を有し、前記複数の第一仕切り板と前記複数の第二仕切り板が交互に配置されて複数の収容空間を形成し、前記フレームボディが前記複数の第一仕切り板と前記複数の第二仕切り板を囲み、且つ前記フレームボディと前記複数の第一仕切り板と前記複数の第二仕切り板が一体成型され、
前記レンズ構造は前記フレーム構造に配置され、
前記レンズ構造は前記第一方向に沿って配置された複数の第一溝及び前記第二方向に沿って配置された複数の第二溝を有し、
前記フレーム構造の前記複数の第一仕切り板がそれぞれ前記複数の第一溝に収容され、前記複数の第二仕切り板がそれぞれ前記複数の第二溝に収容される、表示デバイス。